(57)【特許請求の範囲】
【請求項１】
番組の識別情報を含む番組情報が表形式で表される番組表の表示形式を示すテンプレートと、当該テンプレートの利用可能な時刻を示す時刻情報が含まれたテンプレート識別子とを対応付けて保持、管理するテンプレート管理手段と、
前記テンプレートの端末装置への送信日時を制御するテンプレート送信制御手段と、
前記テンプレート管理手段で保持、管理されている前記テンプレートと当該テンプレートに対応するテンプレート識別子とを前記テンプレート送信制御手段から指示された送信日時に端末装置に送信するテンプレート送信手段と
を備えることを特徴とするセンター装置。
【請求項２】
番組の識別情報を含む番組情報が表形式で表される番組表の表示形式を示すテンプレートと、当該テンプレートの利用に適した端末の端末情報が含まれたテンプレート識別子とを対応付けて保持、管理するテンプレート管理手段と、
前記テンプレートの端末装置への送信日時を制御するテンプレート送信制御手段と、
前記テンプレート管理手段で保持、管理されている前記テンプレートと当該テンプレートに対応するテンプレート識別子とを前記テンプレート送信制御手段から指示された送信日時に端末装置に送信するテンプレート送信手段と
を備えることを特徴とするセンター装置。
【請求項３】
番組の識別情報を含む番組情報と、前記番組情報が表形式で表される番組表の表示形式を示すテンプレートと、当該テンプレートの利用可能な時刻を示す時刻情報が含まれたテンプレート識別子とを入力する入力手段と、
前記テンプレートと、当該テンプレートに対応する前記テンプレート識別子に含まれた前記時刻情報とを対応付けて保持、管理するテンプレート管理手段と、
前記番組情報を保持、管理する番組情報管理手段と、
番組表の表示時に、その表示時刻と前記テンプレート管理手段で保持、管理されている前記時刻情報とを比較して、前記テンプレート管理手段で保持、管理されている前記テンプレートの中から、前記表示時刻に対応するテンプレートを選択するテンプレート選択手段と、
前記番組情報管理手段から必要な番組情報を取得し、前記テンプレート選択手段が選択したテンプレートを用いて番組表を作成する番組表作成手段と
を備えることを特徴とする端末装置。
【請求項４】
番組の識別情報を含む番組情報と、前記番組情報が表形式で表される番組表の表示形式を示すテンプレートと、当該テンプレートの利用に適した端末の端末情報が含まれたテンプレート識別子とを入力する入力手段と、
前記テンプレートと、当該テンプレートに対応するテンプレート識別子に含まれた前記端末情報とを対応付けて保持、管理するテンプレート管理手段と、
前記番組情報を保持、管理する番組情報管理手段と、
番組表の表示時に、予め保持している端末装置自身の端末情報と前記テンプレート管理手段で保持、管理されている前記端末情報とを比較して、前記テンプレート管理手段で保持、管理されている前記テンプレートの中から、端末装置自身での利用に適したテンプレートを選択するテンプレート選択手段と、
前記番組情報管理手段から必要な番組情報を取得し、前記テンプレート選択手段が選択したテンプレートを用いて番組表を作成する番組表作成手段と
を備えることを特徴とする端末装置。
【発明の詳細な説明】
【０００１】
【発明の属する技術分野】
本発明は、番組の映像・音声情報と多重化して電子番組表（ＥＰＧ）のための番組情報を放送するセンター装置と、これを受信して画面に電子番組表を表示する端末装置に関し、特に、端末装置で個性的な電子番組表を表示できるようにするものである。
【０００２】
【従来の技術】
デジタル放送では、アナログ放送に比べてチャンネル数が飛躍的に増大し、放送される番組の数が非常に多くなる。そこで、デジタル放送では、番組選択を容易にするため、センターから、番組の映像・音声情報と多重化してＥＰＧの番組情報が放送される。利用者は、端末装置の表示画面にＥＰＧを映し、このＥＰＧ上で直接、見たい番組を選択したり、番組の予約録画を指定したりすることができる。
【０００３】
この番組情報には、チャンネル番号、チャンネル名、番組名、番組のジャンルを示すジャンル情報、放送スケジュール、あらすじ、出演者などの情報が含まれる。センターからこの番組情報のデータを受信した端末装置では、内蔵するＥＰＧソフトによって、時間軸とチャンネル軸とを持った番組表として画面上に表示する。
【０００４】
この電子番組表の表示の仕方については、種々の工夫が為されている。特開平８−１４０００３には、画面上に番組のジャンルをメニュー表示し、そのジャンルを選べば関連番組のガイドが表示される表示方法が開示されている。また、特開昭６１−２２７４８６には、現在の時刻を見て、現在の時刻より後の番組表のみを表示する技術が開示されている。また、特開平９−３７１６７には、端末装置の画面のアスペクト比を設定すると、設定されたアスペクト比に応じて、ガイド画像の表示配列を変更する方法が開示されている。
【０００５】
【発明が解決しようとする課題】
しかし、従来の放送システムでは、センター装置から放送された番組情報を端末装置が受信し、この端末装置に予めプログラムとして組み込まれている番組表作成用プログラムが、受信した番組情報から必要な部分を抜き出して番組表を作成しているため、画面上には、プログラムで決められた一種類の表示形式でしか番組表が表示されない。
【０００６】
そのため、利用者は、この番組表の中から、知りたい情報を一目で見つけることが難しく、一方、センター側では、視聴者に番組の特徴を番組表の表示形式によって印象付けることができない。
【０００７】
また、従来の端末装置では、番組の映像を見ながら番組表を表示させることができず、番組表を画面に表示している間は、番組の映像が中断されると言う不便がある。
【０００８】
また、番組表は画面上で見るしか方法が無く、番組表を記録して残すことができないという不便がある。
【０００９】
本発明は、こうした従来の問題点を解決するものであり、バラエティに富んだ個性的な電子番組表の表示を可能にする放送システムのセンター装置を提供し、また、この個性的な電子番組表を画面上に表示したり、印刷物などで残すことができる端末装置を提供することを目的としている。
【００１０】
【課題を解決するための手段】
そこで、本発明では、センター装置に、番組の識別情報を含む番組情報が表形式で表される番組表の表示形式を示すテンプレートと、当該テンプレートの利用可能な時刻を示す時刻情報が含まれたテンプレート識別子とを対応付けて保持、管理するテンプレート管理手段と、前記テンプレートの端末装置への送信日時を制御するテンプレート送信制御手段と、前記テンプレート管理手段で保持、管理されている前記テンプレートと当該テンプレートに対応するテンプレート識別子とを前記テンプレート送信制御手段から指示された送信日時に端末装置に送信するテンプレート送信手段とを設けている。
また、番組の識別情報を含む番組情報が表形式で表される番組表の表示形式を示すテンプレートと、当該テンプレートの利用に適した端末の端末情報が含まれたテンプレート識別子とを対応付けて保持、管理するテンプレート管理手段と、前記テンプレートの端末装置への送信日時を制御するテンプレート送信制御手段と、前記テンプレート管理手段で保持、管理されている前記テンプレートと当該テンプレートに対応するテンプレート識別子とを前記テンプレート送信制御手段から指示された送信日時に端末装置に送信するテンプレート送信手段とを設けている。
【００１１】
また、端末装置には、番組の識別情報を含む番組情報と、前記番組情報が表形式で表される番組表の表示形式を示すテンプレートと、当該テンプレートの利用可能な時刻を示す時刻情報が含まれたテンプレート識別子とを入力する入力手段と、前記テンプレートと、当該テンプレートに対応する前記テンプレート識別子に含まれた前記時刻情報とを対応付けて保持、管理するテンプレート管理手段と、前記番組情報を保持、管理する番組情報管理手段と、番組表の表示時に、その表示時刻と前記テンプレート管理手段で保持、管理されている前記時刻情報とを比較して、前記テンプレート管理手段で保持、管理されている前記テンプレートの中から、前記表示時刻に対応するテンプレートを選択するテンプレート選択手段と、前記番組情報管理手段から必要な番組情報を取得し、前記テンプレート選択手段が選択したテンプレートを用いて番組表を作成する番組表作成手段とを設けている。
また、番組の識別情報を含む番組情報と、前記番組情報が表形式で表される番組表の表示形式を示すテンプレートと、当該テンプレートの利用に適した端末の端末情報が含まれたテンプレート識別子とを入力する入力手段と、前記テンプレートと、当該テンプレートに対応するテンプレート識別子に含まれた前記端末情報とを対応付けて保持、管理するテンプレート管理手段と、前記番組情報を保持、管理する番組情報管理手段と、番組表の表示時に、予め保持している端末装置自身の端末情報と前記テンプレート管理手段で保持、管理されている前記端末情報とを比較して、前記テンプレート管理手段で保持、管理されている前記テンプレートの中から、端末装置自身での利用に適したテンプレートを選択するテンプレート選択手段と、前記番組情報管理手段から必要な番組情報を取得し、前記テンプレート選択手段が選択したテンプレートを用いて番組表を作成する番組表作成手段とを設けている。
【００１２】
そのため、端末装置において、時間帯や端末装置の特色を出した、画一的でない、見やすい番組表を表示することが可能となる。
【００１３】
【発明の実施の形態】
本発明の請求項１に記載の発明は、センター装置に、番組の識別情報を含む番組情報が表形式で表される番組表の表示形式を示すテンプレートと、当該テンプレートの利用可能な時刻を示す時刻情報が含まれたテンプレート識別子とを対応付けて保持、管理するテンプレート管理手段と、前記テンプレートの端末装置への送信日時を制御するテンプレート送信制御手段と、前記テンプレート管理手段で保持、管理されている前記テンプレートと当該テンプレートに対応するテンプレート識別子とを前記テンプレート送信制御手段から指示された送信日時に端末装置に送信するテンプレート送信手段とを設けたものであり、時間帯毎に異なる番組表の表示が可能となる。例えば、午前中のテンプレートには時刻の前に太陽のマークを入れ、夕方のテンプレートには時刻の前に月のマークを入れることにより時刻が“７”と表現されていても、視聴者は午前か午後かを容易に理解できる。
【００２１】
請求項２に記載の発明は、番組の識別情報を含む番組情報が表形式で表される番組表の表示形式を示すテンプレートと、当該テンプレートの利用に適した端末の端末情報が含まれたテンプレート識別子とを対応付けて保持、管理するテンプレート管理手段と、前記テンプレートの端末装置への送信日時を制御するテンプレート送信制御手段と、前記テンプレート管理手段で保持、管理されている前記テンプレートと当該テンプレートに対応するテンプレート識別子とを、前記テンプレート送信制御手段から指示された送信日時に端末装置に送信するテンプレート送信手段とを設けたものであり、例えば、ハイビジョン放送が受信できない端末装置で番組表を表示する場合に、ハイビジョン番組の番組表が表示されないようにすることが可能となる。また、端末に例えば１５inchのモニタが接続している場合には、番組表に表示する文字数を減らして、文字が潰れて読めなくなるのを避けることができる。また、例えば２画面に分割可能なモニタが接続されている場合には、左側に番組を表示しながら右側に番組表を表示することが可能となる。
【００２５】
請求項３に記載の発明は、端末装置に、番組の識別情報を含む番組情報と、前記番組情報が表形式で表される番組表の表示形式を示すテンプレートと、当該テンプレートの利用可能な時刻を示す時刻情報が含まれたテンプレート識別子とを入力する入力手段と、前記テンプレートと、当該テンプレートに対応する前記テンプレート識別子に含まれた前記時刻情報とを対応付けて保持、管理するテンプレート管理手段と、前記番組情報を保持、管理する番組情報管理手段と、番組表の表示時に、その表示時刻と前記テンプレート管理手段で保持、管理されている前記時刻情報とを比較して、前記テンプレート管理手段で保持、管理されている前記テンプレートの中から、前記表示時刻に対応するテンプレートを選択するテンプレート選択手段と、前記番組情報管理手段から必要な番組情報を取得し、前記テンプレート選択手段が選択したテンプレートを用いて番組表を作成する番組表作成手段とを設けたものであり、時間帯毎に異なる番組表を表示することが可能となる。
【００２７】
請求項４に記載の発明は、端末装置に、番組の識別情報を含む番組情報と、前記番組情報が表形式で表される番組表の表示形式を示すテンプレートと、当該テンプレートの利用に適した端末の端末情報が含まれたテンプレート識別子とを入力する入力手段と、前記テンプレートと、当該テンプレートに対応するテンプレート識別子に含まれた前記端末情報とを対応付けて保持、管理するテンプレート管理手段と、前記番組情報を保持、管理する番組情報管理手段と、番組表の表示時に、予め保持している端末装置自身の端末情報と前記テンプレート管理手段で保持、管理されている前記端末情報とを比較して、前記テンプレート管理手段で保持、管理されている前記テンプレートの中から、端末装置自身での利用に適したテンプレートを選択するテンプレート選択手段と、前記番組情報管理手段から必要な番組情報を取得し、前記テンプレート選択手段が選択したテンプレートを用いて番組表を作成する番組表作成手段とを設けたものであり、端末装置に応じた見やすい番組表を表示することが可能となる。
【００３０】
以下、本発明の実施の形態について、図面を用いて説明する。
【００３１】
（第１の実施形態）
第１の実施形態では、センター装置から送信される、番組表のテンプレートと、そのテンプレートの使い方などを指定するテンプレート識別子とについて説明する。
【００３２】
センター装置は、番組表のテンプレートを作成して、このテンプレートと、そのテンプレートの使用条件などを指定するテンプレート識別子とを端末装置に送信する。
【００３３】
このテンプレートは、ＨＴＭＬ、ＳＧＭＬ、ＭＨＥＧなどの言語を用いて画面上に表示されるテキスト、静止画、画像を指し、また、これらの言語で指定された表示方法により表現されたものを指す。
【００３４】
例えば、このテンプレートによって、午前中の電子番組表の時刻情報の前に太陽のマークが表示され、夕方の電子番組表の時刻情報の前に月のマークが表示される。また、電子番組表の一番下に今日の言葉が記述されたり、電子番組表の枠が午前は明るい色で、午後は暗い色で表示される。また、料理が好きな人のために、料理番組が目立つ色で表示され、囲碁が好きな人のために、囲碁番組の枠が強調された線で表示される。
【００３５】
また、スポーツの番組表に、テンプレートによって、スポーツの種類と対戦情報が表示され、映画の番組表に、テンプレートによって、映画の題名、監督、主演者の名前などが表示される。
【００３６】
また、ニュースチャンネルの番組表は、落ち着いた色合いで分刻みのニュース内容が表示され、音楽チャンネルの番組表では、出演者名がカラフルに紹介される。
【００３７】
また、同一事業者が提供する番組の番組表には、同一のテンプレートを用いて統一したイメージで番組情報が表示される。
【００３８】
テンプレートは、このように、番組表全体の総枠を表示するためのテンプレート、番組表の中のチャンネルを表示するためのテンプレート、及び、チャンネルの中の個々の番組を表示するためのテンプレートから成り、階層構造を有している。
【００３９】
また、テンプレートにはテンプレート識別子が付加され、このテンプレート識別子には、そのテンプレートの使い方などを示す情報が含まれる。図７は、テンプレート識別子のデータ構造の一例を示しており、識別子を特定するＩＤと、テンプレートの適用対象を示す対象レベルと、テンプレートの使用が有効な時刻と、テンプレートを表現している言語と、テンプレートを使用するために取得しなければならない番組情報と、このテンプレートがセンター装置から送出される期間と、テンプレートに付加されるコメントの各データが含まれている。
【００４０】
前述するように、スポーツの番組表にスポーツの種類と対戦情報を表示し、また、映画の番組表に映画の題名、監督、主演者の名前などを表示する場合には、このスポーツの種類と対戦情報、あるいは、映画の題名、監督、主演者の名前などのデータはテンプレート識別子のコメントに記述され、テンプレートに付加される。
【００４１】
センター装置は、テンプレートを作成した場合に、そのテンプレートにテンプレート識別子を付して端末装置に送信する。端末装置では、テンプレートに付随するテンプレート識別子に記載されている使用条件に従って、そのテンプレートを使用する。
【００４２】
例えば、テンプレートに識別子ＩＤ１のテンプレート識別子が付随していた場合には、端末装置は、受信した番組情報からチャンネル番号及びチャンネル名の情報を取得し、対象レベルで指定されたチャンネルの番組表を、このテンプレートを用いて表示する。
【００４３】
また、テンプレートに識別子ＩＤ３のテンプレート識別子が付随していた場合には、端末装置は、受信した番組情報から番組のジャンル情報を取得し、音楽番組に関する番組表を、このテンプレートを用いて表示する。
【００４４】
また、テンプレートに識別子ＩＤ５のテンプレート識別子が付随していた場合には、端末装置は、受信した番組情報から番組の詳細情報、番組の開始時刻、終了時刻、番組のタイトルを取得し、指定された番組の番組表を、このテンプレートを用いて表示する。
【００４５】
このように、テンプレートとテンプレート識別子とが１対１で組み合わされて送信される場合には、端末装置は、付随するテンプレート識別子に従ってテンプレートの使用条件を設定する。
【００４６】
しかし、テンプレートによっては、あるチャンネルの、午前の、音楽番組において使用する、と言うように、使用条件が複合的に規定されるケースもある。このような場合、テンプレートと１対１で組み合わせたテンプレート識別子で、これら全ての使用条件を指定することも、勿論、可能であるが、ここでは、複数のテンプレート識別子を用いて、テンプレートの使用条件を、より効率的に端末装置に伝える方法について説明する。
【００４７】
図６は、テンプレートとテンプレート識別子との関係を示している。各々のテンプレート識別子は、図７のデータ構造を有しており、従って、テンプレートＡは、あるチャンネルの、午前の、音楽番組の番組表表示に使用され、テンプレートＢは、同じチャンネルの、午前の、映画番組の番組表表示に使用され、また、テンプレートＣは、午前の、特定番組の番組表表示に使用される。
【００４８】
このとき、テンプレート識別子１にテンプレートＡ及びテンプレートＢがリンクし、テンプレート識別子２にテンプレートＡ、テンプレートＢ及びテンプレートＣがリンクし、テンプレート識別子３にテンプレートＡがリンクし、テンプレート識別子４にテンプレートＢがリンクし、また、テンプレート識別子５にテンプレートＣがリンクしていることを端末装置に伝送する。こうした場合には、各テンプレート識別子のデータは、それぞれ１度だけの伝送で済むことになる。
【００４９】
端末装置は、このテンプレートとテンプレート識別子とのリンクを記憶し、テンプレートを、リンクするテンプレート識別子によって指定された使用条件の下で使用する。
【００５０】
一方、このテンプレートの使用条件を、テンプレートと１対１で組み合わせたテンプレート識別子により伝送しようとすると、テンプレート識別子１のデータをテンプレートＡの識別子とテンプレートＢの識別子との中で伝送する必要があり、また、テンプレート識別子２のデータをテンプレートＡの識別子とテンプレートＢの識別子とテンプレートＣの識別子の中で伝送する必要がある。
【００５１】
このように、テンプレートと、テンプレートを使用する条件が指定されたテンプレート識別子とを、１対１の組では無く、多対１または１対多の組として送信することにより、伝送帯域の無駄な使用を減らすことができ、伝送効率を高めることが可能となる。
【００５２】
（第２の実施形態）
第２の実施形態では、番組表の表示形式を時刻によって切り替えるシステムについて説明する。
【００５３】
図１に示すように、このシステムのセンター装置10は、時刻を管理する時刻管理部11と、番組表のテンプレートを作成するテンプレート作成部12と、作成されたテンプレートを管理するテンプレート管理部13と、テンプレートの送信日時を管理するテンプレート送信制御部14と、番組情報を管理する番組情報管理部16と、伝送路40を通じてテンプレート及び番組情報を送信するテンプレート伝送部15とを備えており、また、端末装置20は、センター装置10から送られたテンプレート及び番組情報を受信する番組情報受信部26と、番組情報を管理する番組情報管理部27と、表示する番組表のチャンネル情報を管理するチャンネル情報管理部25と、テンプレートを管理する番組表テンプレート管理部24と、番組表に使用するテンプレートを選択するテンプレート選択部23と、選択されたテンプレートを用いて番組表を作成する番組表作成部22と、時刻を管理する時刻管理部21とを備えている。
【００５４】
このセンター装置10では、テンプレート作成部12が、現在の時刻、日時等の必要な時刻情報を時刻管理部11から得ながら、テンプレートとテンプレート識別子とを作成する。テンプレート作成部12は、例えば、時刻管理部11から入手した日時情報を基に、番組表の一番下に「今日の言葉」を組み込んだテンプレートを作成し、有効時刻を本日に限定したテンプレート識別子を付加する。あるいは、番組表の枠を午前は明るい色で表示し、午後は暗い色で表示するテンプレートを作成して、午前用のテンプレートには、表示時期を午前に限定するテンプレート識別子を付加し、午後用のテンプレートには、表示時期を午後に限定するテンプレート識別子を付加する。あるいは、春用の華やかなテンプレートを作成して、表示時期を春に限定するテンプレート識別子を付加する。
【００５５】
テンプレート識別子はテンプレートに付随するものであるから、以下、特に断らない限り、テンプレートにはテンプレート識別子の情報が含まれているものとして説明する。
【００５６】
作成されたテンプレートはテンプレート管理部13で一度保存される。
【００５７】
テンプレート送信制御部14は、テンプレート識別子の送出期間として設定されているスケジュールを参照して、時刻管理部11の時刻とスケジュールとを比較する。そして、伝送開始時間になったとき、つまりスケジュールと時刻管理部11の時刻とが一致した時、テンプレート管理部13で保存されているテンプレートを伝送するようにテンプレート伝送部15に指示する。これを受けて、テンプレート伝送部15は、指示されたテンプレートと番組情報管理部16から渡された番組情報とを多重化して伝送路40を通じて端末装置20に送信する。
【００５８】
この伝送路40は、デジタル衛星放送では電波であるが、ＣＡＴＶや地上波のデジタル放送では、それらに応じた伝送路となる。
【００５９】
端末装置20の番組情報受信部26は、センター装置10から送られた情報を受信すると、テンプレートを番組表テンプレート管理部24に、番組情報を番組情報管理部27に振り分け、また、必要に応じて、番組情報の中のチャンネル情報をチャンネル情報管理部25に振り分ける。
【００６０】
番組表テンプレート管理部24は、入力したテンプレートをテンプレート識別子で指定された時刻情報と対応付けて管理する。
【００６１】
視聴者が番組表の表示操作を行なうと、端末装置20の番組表作成部22は、時刻管理部21から時刻情報を取得し、この時刻情報を基に、テンプレート選択部23にテンプレートの選択を依頼する。テンプレート選択部23は、番組表テンプレート管理部24から、時刻情報に基づいて、表示時期に該当する１つ以上のテンプレートを取得し、また、表示する番組表のチャンネルの情報をチャンネル情報管理部25から取得し、これらの情報を番組表作成部22に渡す。
【００６２】
番組表作成部22は、テンプレート選択部23から取得したテンプレートを調べて、必要な情報を番組情報管理部27から取得し、番組表を作成する。テンプレートには、どこに番組名を記入するか、どこに終了時間を記入するかという情報も含まれている。番組表作成部22は、これらの情報を基に、番組表テンプレート管理部24から得たテンプレートを解釈して、番組情報管理部27から得た情報をテンプレートの必要な場所に埋め込み、番組表を作成する。
【００６３】
こうして、番組表の一番下に、本日の「今日の言葉」が記述された番組表が表示され、あるいは、枠の線が午前には明るい色で、午後には暗い色で画かれた番組表が表示され、あるいは、春には、春らしい華やかな模様の番組表が表示される。
【００６４】
なお、テンプレートの使用条件として、時刻とともに、チャンネルが指定されている場合には、テンプレート選択部23は、チャンネル情報管理部25より取得した、表示する番組表のチャンネル情報に基づいて、番組表テンプレート管理部24から、表示時期に該当し、且つ、表示する番組表のチャンネルに該当するテンプレートを取得して番組作成部22に渡し、番組作成部22は、このテンプレートを用いて、チャンネル用の番組表を作成する。
【００６５】
また、階層構造を持つことが可能なテンプレートでは、チャンネル用のテンプレートとは別に、例えば、音楽番組を対象とするテンプレートが作成される。このとき、テンプレート選択部23は、チャンネル情報管理部25から、表示する番組表のチャンネル情報を取得するとともに、番組情報管理部27から該当するチャンネルの番組情報を取得する。そして、表示されるチャンネルの番組表に音楽番組が含まれるときには、番組表テンプレート管理部24から、音楽番組用のテンプレートを取得して、チャンネル用のテンプレートとともに番組作成部22に渡す。番組作成部22は、このチャンネル用のテンプレートの中に、音楽番組用のテンプレートを埋め込む作業を行ない、番組表を作成する。これらの動作については、第３の実施形態で詳しく説明する。
【００６６】
なお、センター装置10は、他の媒体によりテンプレートが提供される場合に、テンプレート作成部12を除いて構成することができる。このとき、他の媒体から供給されたテンプレートは、テンプレート管理部13で同様に管理される。
【００６７】
また、テンプレートと番組情報との端末装置20への伝送は、それぞれ別の伝送路を経由して、端末装置に送るようにしても良い。
【００６８】
（第３の実施形態）
第３の実施形態では、番組表の表示形式を番組情報に応じて切り替えるシステムについて説明する。
【００６９】
このシステムでは、図２に示すように、センター装置10のテンプレート作成部12が、番組情報管理部16から取得した番組情報を参考にしてテンプレートを作成する。その他の構成は第２の実施形態と変わりがない。
【００７０】
この番組情報管理部16には、番組情報として、例えば、番組のタイトル、番組のジャンル、番組の出演者、番組の説明、番組が２ヶ国語放送なのか、音楽放送なのか、データ放送なのかという番組のコンポーネント情報などが保持されている。
【００７１】
テンプレート作成部12は、例えば、チャンネルと番組との階層レベルのテンプレートを作成する場合には、まず、番組情報管理部16の番組情報を調べ、放送されるチャンネルの一覧を取得し、その一覧を基に、チャンネル毎、または、所定数を纏めたチャンネル群の番組表表示に必要なテンプレート及びテンプレート識別子を作成する。作成されたテンプレートは、テンプレート識別子とともにテンプレート管理部13で管理される。
【００７２】
次に、テンプレート作成部12は、番組情報管理部16を再度調べて、例えば、番組のジャンルの一覧を取得する。また、必要ならば番組の出演者の一覧、コンポーネントの一覧を取得する。そして、その一覧を基に、番組のジャンル毎、出演者毎、コンポーネント毎のテンプレートとテンプレート識別子とを作成する。
【００７３】
ジャンル別のテンプレートが、例えば、スポーツの番組表にスポーツの種類と対戦情報を表示するテンプレートであれば、それらデータがコメントとしてテンプレート識別子に付加され、また、映画の番組表に映画の題名、監督、主演者の名前などを表示するテンプレートであれば、それらのデータがコメントとしてテンプレート識別子に付加される。
【００７４】
作成されたこれらのテンプレートは、テンプレート管理部13で一度保存され、テンプレート送信制御部14が指定する時間に、テンプレート伝送部15から、番組情報とともに端末装置20に送られる。この動作は第２の実施形態で説明した通りである。
【００７５】
端末装置20に伝送されたテンプレート及び番組情報は、番組情報受信部26により、テンプレートが番組表テンプレート管理部24に、番組情報が番組情報管理部に振り分けられ、必要に応じて番組情報の中のチャンネル情報がチャンネル情報管理部25に振り分けられる。
【００７６】
番組表テンプレート管理部24に入力したテンプレートには、テンプレート識別子によりチャンネル情報やジャンル情報が付加されており、番組表テンプレート管理部24は、テンプレートとチャンネル情報、あるいはテンプレートとジャンル情報を対応付けて管理する。
【００７７】
視聴者が番組表の表示操作を行なうと、端末装置20の番組表作成部22は、時刻管理部21から時刻情報を取得し、この時刻情報を渡して、テンプレート選択部23にテンプレートの選択を依頼する。テンプレート選択部23は、表示する番組表のチャンネル情報をチャンネル情報管理部25から取得し、また、必要な場合には番組情報を番組情報管理部27から取得して、それらの情報を基に、適合する１つ以上のテンプレートを番組表テンプレート管理部24から選択し、番組表作成部22に渡す。
【００７８】
例えば、ジャンルを指定するテンプレートの場合には、テンプレート選択部23は、番組情報管理部27から、表示する番組表の各チャンネルにおける番組情報を求め、各チャンネル毎のジャンル情報を取得する。そして、番組表テンプレート管理部24に管理されているテンプレートのジャンル情報を、付随するテンプレート識別子によって調べ、取得したジャンル情報に適合する番組用のテンプレートを選択対象として決定する。
【００７９】
番組表作成部22は、テンプレート選択部23から渡されたテンプレートを調べ、必要な情報を番組情報管理部27から取得してテンプレートの必要な場所に埋め込み、番組表を作成する。この動作は、第２の実施形態で説明したものと同じである。
【００８０】
なお、センター装置10のテンプレート作成部12がチャンネル用のテンプレートと番組用のテンプレートとを関連付けて作成している場合には、テンプレート選択部23が番組表テンプレート管理部24からチャンネル用テンプレートを選択すると、番組用テンプレートが併せて呼び出され、番組表作成部22は、このチャンネル用テンプレートと番組用テンプレートとを参照して番組表を作成する。
【００８１】
こうして、スポーツの種類と対戦情報とが記述されたスポーツの番組表が表示され、あるいは、映画の題名、監督、主演者の名前などが記述された映画の番組表が表示される。
【００８２】
（第４の実施形態）
第４の実施形態では、番組表の表示形式が視聴者情報に応じて切り替わるシステムについて説明する。
【００８３】
このシステムでは、図３に示すように、センター装置10が、全ての視聴者に関する情報を管理する視聴者情報管理部17を具備し、また、端末装置20が、この端末装置20の利用者の情報を管理する視聴者情報管理部28を具備している。その他の構成は第２の実施形態（図１）と変わりがない。
【００８４】
視聴者情報管理部17、28に管理されている情報は、例えば、視聴者（利用者）の所在地、趣味・嗜好、年齢、性別等である。
【００８５】
センター装置10のテンプレート作成部12は、視聴者情報管理部17の視聴者情報を調べて、例えば、視聴者の趣味・嗜好、または、年齢の一覧を取得し、その一覧を基に、それぞれの趣味・嗜好を持つ視聴者向けの番組表表示用テンプレートを作成し、また、それぞれの年齢層の視聴者向け番組表表示用テンプレートを作成する。
【００８６】
例えば、料理が好きな人用に、料理番組が目立つテンプレートを作成し、囲碁が好きな人用に、囲碁番組が目立つテンプレートを作成する。また、年齢別のテンプレートでは、例えば、２０歳未満の視聴者向けに、２０歳以上が対象の番組の番組情報が何も表示されない未成年者用テンプレートを作成する。
【００８７】
作成されたテンプレートは、テンプレート管理部13で保存された後、第２の実施形態で説明したように、テンプレート送信制御部14が指定する時間に、テンプレート伝送部15から、番組情報とともに端末装置20に送られる。
【００８８】
端末装置20に伝送されたテンプレート及び番組情報は、番組情報受信部26により、テンプレートが番組表テンプレート管理部24に、番組情報が番組情報管理部に振り分けられ、必要に応じて番組情報の中のチャンネル情報がチャンネル情報管理部25に振り分けられる。
【００８９】
番組表テンプレート管理部24に入力したテンプレートには、テンプレート識別子により視聴者情報が付加されており、番組表テンプレート管理部24は、テンプレートと視聴者情報とを対応付けて管理する。
【００９０】
端末装置20の視聴者が番組表の表示操作を行なうと、番組表作成部22は、時刻管理部21から時刻情報を取得し、また、視聴者情報管理部28から視聴者情報を取得し、この時刻情報及び視聴者情報をテンプレート選択部23に渡して、テンプレートの選択を依頼する。
【００９１】
テンプレート選択部23は、表示する番組表のチャンネル情報をチャンネル情報管理部25から取得し、そのチャンネルの番組情報を番組情報管理部27から取得して、番組のジャンルや視聴対象年齢の情報などを参照する。そして、先に視聴情報管理部28から取得した視聴者情報と照合して、番組表表示に使用するテンプレートを決定する。
【００９２】
例えば、視聴者情報管理部28から取得した視聴者情報が囲碁好きであることを示しており、また、表示されるチャンネルの番組表の中に囲碁番組のジャンルが含まれているときには、テンプレート選択部23は、囲碁好きな人用のテンプレートを選択する。また、視聴者情報が２０歳未満を示しており、また、表示されるチャンネルの番組表の中に視聴対象年齢が２０歳以上である番組が含まれているときには、テンプレート選択部23は、未成年者用テンプレートを選択する。
【００９３】
番組表作成部22は、テンプレート選択部23によって選択されたテンプレートを調べ、必要な情報を番組情報管理部27から取得してテンプレートの必要な場所に埋め込み、番組表を作成する。
【００９４】
こうして、番組表の中で視聴者の嗜好に合う番組が目立つように強調表示される。そのため、視聴者は、自分が見たい番組を視覚的に簡単に発見することができる。また、視聴者が未成年者であるときには、２０歳以上が対象の番組の番組情報は何も表示されない。
【００９５】
（第５の実施形態）
第５の実施形態では、番組表の表示形式が端末装置のアスペクト比などに応じて自動的に切り替わるシステムについて説明する。
【００９６】
このシステムでは、図４に示すように、センター装置10が、視聴者の端末装置の情報を管理する視聴者情報管理部17を具備し、また、端末装置20が、この端末装置20の情報を管理する端末情報管理部29を具備している。その他の構成は第２の実施形態（図１）と変わりがない。
【００９７】
視聴者情報管理部17に管理されている情報は、例えば、視聴者が所有している受信端末のメーカ、型番、受信端末に接続されている映像機器のメーカ、型番等である。
【００９８】
センター装置10のテンプレート作成部12は、視聴者情報管理部17の視聴者情報を調べ、例えば、視聴者が所有している受信端末の一覧を取得して、その一覧を基に、端末のメーカー毎、または、型番毎に必要となる番組表表示用のテンプレートを作成する。例えば、画面サイズが１５inchの端末に使用するテンプレートや、１７inchの端末に使用するテンプレートなど、画面サイズに応じたテンプレートを作成し、また、HiVisionの画面まで表示できるテンプレートや、通常画面までの表示しかできないテンプレートなどを作成する。
【００９９】
作成されたテンプレートは、テンプレート管理部13で保存された後、第２の実施形態で説明したように、テンプレート送信制御部14が指定する時間に、テンプレート伝送部15から、番組情報とともに端末装置20に送られる。
【０１００】
端末装置20に伝送されたテンプレート及び番組情報は、番組情報受信部26により、テンプレートが番組表テンプレート管理部24に、番組情報が番組情報管理部27に振り分けられ、必要に応じて番組情報の中のチャンネル情報がチャンネル情報管理部25に振り分けられる。
【０１０１】
番組表テンプレート管理部24に入力したテンプレートには、テンプレート識別子により画面サイズなどの端末情報が付加されており、番組表テンプレート管理部24は、テンプレートと端末情報とを対応付けて管理する。
【０１０２】
端末装置20の視聴者が番組表の表示操作を行なうと、番組表作成部22は、時刻管理部21から時刻情報を取得し、また、端末情報管理部29から端末情報（端末装置20のメーカ、型番、接続している映像機器のメーカ、型番等）を取得し、この時刻情報及び端末情報をテンプレート選択部23に渡して、テンプレートの選択を依頼する。
【０１０３】
テンプレート選択部23は、表示する番組表のチャンネル情報をチャンネル情報管理部25から取得し、また、必要ならば、そのチャンネルの番組情報を番組情報管理部27から取得し、そのチャンネルまたは番組情報のテンプレートとして、先に端末情報管理部29から取得した端末情報と合致するテンプレートが、番組表テンプレート管理部24に保持されているかどうかを探し、合致するものがあれば、そのテンプレートを選択して番組表作成部22に渡す。
【０１０４】
例えば、この端末装置20がHiVision画面を有しているとき、番組表の表示チャンネルのテンプレートとして、HiVisionの画面まで表示できるテンプレートと、通常画面までの表示しかできないテンプレートとが用意されている場合には、HiVisionの画面まで表示できるテンプレートを選択する。
【０１０５】
また、この端末装置20の画面サイズが１５inchであるとき、番組情報の表示用テンプレートとして各画面サイズに応じた各種テンプレートが用意されている場合には、１５inch用のテンプレートを選択する。
【０１０６】
番組表作成部22は、テンプレート選択部23によって選択されたテンプレートを調べ、必要な情報を番組情報管理部27から取得してテンプレートの必要な場所に埋め込み、番組表を作成する。
【０１０７】
この結果、番組表は端末装置の画面サイズなどに応じて表示される。例えば、画面サイズが小さい場合には、文字潰れが生じないように、文字の大きさや配列が選択されて番組表が表示され、また、広角画面では、画面の半分を使用して番組表が表示され、残りの半分に番組の映像が縮小して表示される。従って、視聴者は、自分の端末装置に適する形で番組表を見ることができる。
【０１０８】
（第６の実施形態）
第６の実施形態では、受信した番組表を印刷等によって出力するシステムについて説明する。
【０１０９】
図５に示すように、このシステムの端末装置20は、番組表を表示する番組表表示部30と、番組表を印刷する番組表印刷部31と、番組表をプリンターや外部記憶装置50に出力する番組表出力部32とを具備している。端末装置20のその他の構成は第１の実施形態（図１）と同じであり、また、センター装置10の構成は第５の実施形態（図４）と同じである。
【０１１０】
センター装置10のテンプレート作成部12は番組表表示用のテンプレートを作成し、作成されたテンプレートは番組情報とともに端末装置20に送られる。
【０１１１】
端末装置20に伝送されたテンプレート及び番組情報は、番組情報受信部26により振り分けられ、テンプレートが番組表テンプレート管理部24に、番組情報が番組情報管理部27に記憶される。
【０１１２】
番組表作成部22は、番組情報管理部27から、番組表に表示するチャンネルの一覧を取得し、その一覧を基に、チャンネル毎の番組情報を番組情報管理部27から取得し、また、テンプレート選択部23を通じて番組表テンプレート管理部24からテンプレートを取得して、番組表を作成する。
【０１１３】
作成された番組表は、番組表表示部30を通じて画面上に表示され、また、番組表印刷部31を通じてプリントアウトされる。
【０１１４】
また、作成された番組表の情報は、番組表出力部32を通じてプリンターや外部記憶装置50に出力され、プリンターで印刷されたり、または、外部記憶装置に記憶される。
【０１１５】
番組表作成部22によって作成される番組表がＨＴＭＬ(Hyper Text Markup Language)で表現されている場合には、番組表出力部32をパソコンに接続することにより、パソコン上で番組表を表示することが可能となる。
【０１１６】
また、番組表作成部22によって作成される番組表がPost Scriptで表現されている場合には、番組出力部32にPostscript Printerを接続することにより、番組表を印刷することが可能となる。
【０１１７】
このように、この端末装置では、番組の映像表示とは独立に、番組表を表示することができる。そのため、番組表を見るために番組の映像を中断しなければならない、と言う不便が解消できる。
【０１１８】
また、番組表を印刷物にして手元に残すことができる。従って、例えば、１週間先の番組表を印刷して置けば、毎回番組表をテレビ等に表示しなくても、容易に番組表を確認することができる。
【０１１９】
また、番組表の情報を番組表出力部から出力することにより、番組情報の再利用が可能になり、番組表を他の機器でも表示させることができる。
【０１２０】
【発明の効果】
以上の説明から明らかなように、本発明のセンター装置は、視聴者が目的の情報を見つけ易い番組表を供給することができ、また、放送の送り手側の特色を出した番組表を提供することができる。端末装置は、このセンター装置からの放送を受けて、時間帯毎に異なる番組表を表示したり、端末装置の構成に適した形態で番組表を表示したりすることができる。
【図面の簡単な説明】
【図１】本発明の第２の実施形態のセンター装置及び端末装置を示すブロック図、
【図２】本発明の第３の実施形態のセンター装置及び端末装置を示すブロック図、
【図３】本発明の第４の実施形態のセンター装置及び端末装置を示すブロック図、
【図４】本発明の第５の実施形態のセンター装置及び端末装置を示すブロック図、
【図５】本発明の第６の実施形態のセンター装置及び端末装置を示すブロック図、
【図６】本発明の第１の実施形態のテンプレートとテンプレート識別子との関係を説明する図、
【図７】第１の実施形態のテンプレート識別子のデータ構造を示す図である。
【符号の説明】
10  センター装置
11  時刻管理部
12  テンプレート作成部
13  テンプレート管理部
14  テンプレート送信制御部
15  テンプレート伝送部
16  番組情報管理部
17  視聴者情報管理部
20  端末装置
21  時刻管理部
22  番組表作成部
23  テンプレート選択部
24  番組表テンプレート管理部
25  チャンネル情報管理部
26  番組情報受信部
27  番組情報管理部
28  視聴者情報管理部
29  端末情報管理部
30  番組表表示部
31  番組表印刷部
32  番組表出力部
40  伝送路
50  プリンター、外部記録装置
【図１】
0003657424.tif 000002
【図２】
0003657424.tif 000003
【図３】
0003657424.tif 000004
【図４】
0003657424.tif 000005
【図５】
0003657424.tif 000006
【図６】
0003657424.tif 000007
【図７】
0003657424.tif 000008